(57)【要約】      （修正有）【課題】嵩張ることなく簡単に様々な種類の飲み物を飲むことができる幼児用ストローカップを提供する。【解決手段】幼児用ストローカップは、カップ本体１０とカップ本体の内部空間を複数の飲料収容空間に区画するようカップ本体に形成される少なくとも１つの区画壁２０と各飲料収容空間の開口を塞ぐためにカップ本体に取り付けられるカップ蓋３０およびカップ蓋の各飲料収容空間に対応する位置にそれぞれ取り付けられ、閉じた状態でストローを挿入することにより開いた状態に切り替わる弾性素材のストロー挿入バルブ４０を含む。【選択図】図２
0003219375.tif 000002
【実用新案登録請求の範囲】
【請求項１】
カップ本体と、
前記カップ本体の内部空間を複数の飲料収容空間に区画するよう前記カップ本体に形成される少なくとも１つの区画壁と、
前記各飲料収容空間の開口を閉じるように前記カップ本体に取り付けられるカップ蓋と、
前記カップ蓋の前記各飲料収容空間に対応する位置にそれぞれ取り付けられ、閉じた状態でストローの挿入によって開いた状態に切り替わる弾性素材のストロー挿入バルブと、
を含むことを特徴とする幼児用ストローカップ。
【請求項２】
前記飲料収容空間は、
前記区画壁を挟んで両側に対称形成される第１および第２収容空間を含むことを特徴とする請求項１に記載の幼児用ストローカップ。
【請求項３】
前記カップ蓋と前記カップ本体との隙間と、前記カップ蓋と区画壁との間の隙間をシーリングするガスケットと、をさらに含むことを特徴とする請求項１又は２に記載の幼児用ストローカップ。
【請求項４】
前記ガスケットは、
前記カップ本体の開口部に対応する形態を有する外郭部および前記外郭部の内側に形成され、前記区画壁に対応する形状を有する区画部を含むことを特徴とする請求項３に記載の幼児用ストローカップ。
【請求項５】
前記カップ蓋には前記ガスケットが取り外しできるように挿入されるガスケット挿入溝が形成され、前記ガスケットには取り外し型ノブが形成されることを特徴とする請求項３又は４に記載の幼児用ストローカップ。
【請求項６】
前記カップ蓋には回転可能なものが設置され、前記ストロー挿入バルブを塞ぐ回転キャップをさらに含むことを特徴とする請求項１〜５の何れか１項に記載の幼児用ストローカップ。
【請求項７】
前記回転キャップは、
前記カップ蓋にヒンジ連結されるキャップ本体および前記キャップ本体から突出形成され、前記ストロー挿入バルブの入口に挿入される挿入部を含むことを特徴とする請求項６に記載の幼児用ストローカップ。
【請求項８】
前記カップ蓋の側面に形成され、前記カップ本体に形成される突起に引っかかる引っかけフックが備えられた複数のラッキング部材をさらに含むことを特徴とする請求項１〜７の何れか１項に記載の幼児用ストローカップ。
【請求項９】
前記カップ本体に取り外し可能なように取り付けられる取手部材をさらに含むことを特徴とする請求項１〜８の何れか１項に記載の幼児用ストローカップ。
【請求項１０】
前記取手部材は、
前記カップ本体の外周が挿入固定される取り外し型リングおよび前記取り外し型リングから延長形成される取手を含むことを特徴とする請求項９に記載の幼児用ストローカップ。
【請求項１１】
前記ストロー挿入バルブは、
ストローが挿入される中空路を有するバルブ胴体部と、
前記中空路を塞ぐために前記バルブ胴体部の内部に形成される隔膜と、
前記隔膜を切開してストローの挿入により前記隔膜が変更するようにする切開部と、
を含むことを特徴とする請求項１〜１０の何れか１項に記載の幼児用ストローカップ。
【請求項１２】
前記バルブ胴体部は、
前記カップ蓋の固定溝に固定される上部胴体および前記上部胴体の下部に形成され、ストローを挿入するとストローの外周面を接触支持する下部胴体を含むことを特徴とする請求項１１に記載の幼児用ストローカップ。
【考案の詳細な説明】
【技術分野】
【０００１】
本考案は、幼児が飲み物をこぼさないようにカップを密閉するため、カップ蓋にストローを差し込んで使うことができる幼児用ストローカップに関する。
【背景技術】
【０００２】
一般に、幼児が開口された通常の形態のカップに飲み物を入れて飲む場合、身体の発育程度により不注意で飲み物を外にこぼすことで、周りが汚れるだけでなく衣類に汚れがついてしまうなどの不便が生じる。 
【０００３】
こうした不便を解消するため、カップを密閉するカップ蓋にストローを差し込んで使用する幼児用ストローカップ(下記の特許文献１参照)が提案されている。それによれば、カップ蓋に切開部が形成されたストロー差込部が形成され、こうしたストロー差込部はストローを差し込まない場合は容器の内部および外部を遮断し、ストローを差し込んだ場合はストローで飲料を飲むことを可能にする。
【０００４】
こうした構成の幼児用ストローカップは非常に持ち運びやすいため子どもを連れて出かける際には利便性を提供するが、多種多様な飲料(たとえば、水やミルク、ジュース)を用意する必要がある際には種類ごとにそれぞれ違う複数のカップを用意する必要があるため、非常に煩わしく荷物が嵩張ってしまうという問題がある。
【先行技術文献】
【特許文献】
【０００５】
【特許文献１】韓国登録特許 第10-1466553号(2014.11.24)
【考案の概要】
【考案が解決しようとする課題】
【０００６】
本考案は、前記問題点を解決するため、嵩張ることなく簡単に様々な種類の飲み物を飲むことができる幼児用ストローカップの提供を課題とする。
【課題を解決するための手段】
【０００７】
本考案の第１実施形態によれば、カップ本体と、前記カップ本体の内部空間を複数の飲料収容空間として区画するために、少なくとも前記カップ本体に形成される区画壁と、前記各飲料収容空間の開口部を閉じるように前記カップ本体に取り付けられるカップ蓋と、前記カップ蓋の各飲料収容空間に対応する位置にそれぞれ取り付けられ、閉じた状態でストローを差し込むと開いた状態に切り替わる弾性素材のストロー挿入バルブと、を含む幼児用ストローカップを提供する。
【０００８】
また、前記飲料収容空間は前記区画壁を挟んで両側に対称形成される第１および第２収容空間を含む場合がある。
【０００９】
また、前記幼児用ストローカップは、前記カップ蓋と前記カップ本体との間の隙間と、前記カップ蓋と区画壁との間の隙間をシーリングするガスケットをさらに含む場合がある。
【００１０】
また、前記ガスケットは、前記カップ本体の開口部に対応する形態を有する外郭部および前記外郭部の内側に形成され、前記区画壁に対応する形状を有する区画壁を含む場合がある。
【００１１】
また、前記カップ蓋には、前記ガスケットを取り外しできるように挿入されるガスケット挿入溝が形成され、前記ガスケットには、取り外し型ノブが形成される場合がある。
【００１２】
また、前記幼児用ストローカップは、前記カップ蓋に回転可能なものが取り付けられ、前記ストロー挿入バルブを閉じる回転キャップをさらに含む場合がある。
【００１３】
また、前記回転キャップは、前記カップ蓋にヒンジ連結されるキャップ本体および前記キャップ本体から突出形成され、前記ストロー挿入バルブの入口に挿入される挿入部を含む場合がある。
【００１４】
また、前記幼児用ストローカップは、前記カップ蓋の側面に形成され、前記カップ本体に形成される突起に引っかかる引っかけフックが備えられた複数のロッキング部材をさらに含む場合がある。
【００１５】
また、前記幼児用ストローカップは、前記カップ本体に取り外しできるように取り付けられる取手部材をさらに含む場合がある。
【００１６】
また、前記取手部材は、前記カップ本体の外周が挿入固定される取り外し型リングおよび前記取り外し型リングから延長形成される取手を含む場合がある。
【００１７】
また、前記ストロー挿入バルブは、ストローが挿入される中空路を有するバルブ胴体部と前記中空路を塞ぐように前記バルブ胴体部の内部に形成される隔膜および前記隔膜を切開してストローを挿入することで前記隔膜を変形させる切開部を含む場合がある。
【００１８】
また、前記バルブ胴体部は、前記カップ蓋の固定溝に固定される上部胴体および前記上部胴体の下部に形成され、ストローを挿入するとストローの外周面に接触支持する下部胴体を含む場合がある。
【考案の効果】
【００１９】
本考案の第１実施形態によれば、嵩張ることなく単一のストローカップを使用することで簡単に様々な種類の飲料が飲用できる効果がある。
【００２０】
また、各飲料収容空間ごとに対応するストロー挿入バルブを取り付けることにより、各飲料収容空間にストローを挿入することができ、同時にストローを差し込まない場合は飲料が外部にこぼれるのを防止することができる。
【００２１】
また、カップ蓋に各ストロー挿入バルブを遮断する回転キャップをさらに取り付けることで、ストロー挿入バルブから飲料がこぼれるのを二重防止するメリットがある。
【００２２】
また、カップ蓋にガスケットを取り付けることにより飲料が外部にこぼれたり各飲料収容空間の隙間に漏れたりするのを防ぐことができるほか、ガスケットに取り外し型ノブを形成することにより洗浄する際に簡単に取り外しできるメリットがある。
【００２３】
さらに、１つのストロー挿入バルブから様々な直径のストローを使用することができ、カップからストローがすぐ抜けたり傾いたりするのを防止することができる。
【図面の簡単な説明】
【００２４】
【図１】本考案の第１実施形態における幼児用ストローカップを示す斜視図である。
【図２】図１に図示された幼児用ストローカップのカップ蓋を取り外した状態を示す斜視図である。
【図３】図１に図示されたカップ本体の縦断面図である。
【図４】図２に図示されたカップ蓋の背面斜視図である。
【図５】図２に図示されたストロー挿入バルブの斜視図である。
【図６】図５に図示されたストロー挿入バルブの動作状態を示す断面図である。
【図７】図２に図示されたカップ本体から取手本体を取り外した状態を示す斜視図である。
【考案を実施するための形態】
【００２５】
本考案は、多様な変更を行うことができ、様々な実施形態を有することができるため、特定の実施形態を図面に基づいてそれぞれ詳細に説明する。ただし、これは本考案を特定の実施形態に限定しようとするものではなく、本考案の思想および技術の範囲内で種々の変更、均等物または代替物への置き換えを行っても、それはすべて本考案の範囲に含まれるものである。本考案を説明するにあたって、関連した公知技術の具体的な説明が本考案の要旨を不明にすると判断される場合、その詳細な説明は省略する。
【００２６】
第１、第２などの用語は、多様な構成要素を説明するために使用できるが、前記構成要素は前記用語により限定されてはならない。前記用語は、１つの構成要素を他の構成要素と区別する目的としてのみ使われる。
【００２７】
本考案において使用される用語は、特定の実施形態を説明するために使用されたものであり、本考案を限定するものではない。単数の表現は、文脈上明白に異なる意味ではない限り、複数の表現を含む。本考案において「含む」または「有する」などの用語は、明細書上に記載された特徴、数字、段階、動作、構成要素、部品、またはこれらの組み合わせが存在することを指定するものであり、一つまたはそれ以上の異なる特徴や数字、段階、動作、構成要素、部品、またはこれらの組み合わせの存在あるいはさらなる可能性を事前に排除しないものと解釈されなければならない。
【００２８】
以下、本考案における幼児用ストローカップの第１実施形態を添付図面を参照して詳細に説明し、添付図面を参照して説明するにあたって、同一または対応する構成要素は同じ図面番号を付与し、これに対する重複する説明は省略する。
【００２９】
図１は、本考案の第１実施形態における幼児用ストローカップを示す斜視図であり、図２は、図１に図示された幼児用ストローカップのカップ蓋を取り外した状態を示す斜視図である。そして、図３は図１に図示されたカップ本体の縦断面図である。
【００３０】
本実施形態における幼児用ストローカップは、カップ本体（１０）、区画壁（２０）、カップ蓋（３０）およびストロー挿入バルブ（４０）を含む。
【００３１】
カップ本体（１０）は、飲料を収容するための内部空間を備え、片方は閉塞してもう片方は開放する形態を有する。本実施形態においてカップ本体（１０）が円型の横断面を有するとして示しているが、カップ本体（１０）が多角形(たとえば、四角形)の横断面を有することもできる。
【００３２】
区画壁（２０）は、カップ本体（１０）の内部空間を複数の飲料収容空間（１１、１２）に区画するようカップ本体（１０）に形成される。本実施形態によれば、区画壁（２０）は２つの飲料収容空間（１１、１２）を形成するために平板状を有し、区画壁（２０）を挟んでその両側に対称的な形態の第1収容空間(１１)と第２収容空間(１２)が形成される。
【００３３】
区画壁（２０）は、本実施形態とは異なり、３つ以上の飲料収容空間を形成するように構成されることもできる。たとえば、３つの飲料収容空間は１２０度の角度で均等分割されるよう構成することができる。 
【００３４】
カップ蓋（３０）は、飲料収容空間（１１、１２）の開口部を閉じるようにカップ本体（１０）に取り付けられる。カップ蓋（３０）は、飲料収容空間（１１、１２）を開閉できるようにカップ本体（１０）の開口部に取り外しできるように取り付けられる。そのため、本実施形態においてはカップ蓋（３０）の側面に複数のラッキング部材（８０）を取り付けられた構成が示されている。 カップ本体（１０）に対するカップ蓋（３０）の締付方式は、本実施形態に示されている構成のほかにも多様な形態で具現化できる。
【００３５】
ストロー挿入バルブ（４０）は、カップ蓋（３０）の各飲料収容空間（１１、１２）に対応する位置にそれぞれ取り付けられる。 本実施形態においては、２つのバルブ挿入バルブ（４０）が第１収容空間（１１）と第２収容空間（１２）の上側にそれぞれ配される。ストロー挿入バルブ（４０）は、弾性素材(たとえば、シリコーン、ラバーなど)で形成され、通常は閉じた状態を維持し、ストロー（１）が挿入されことにより開いた状態に切り替わるように構成される。ストロー（１）をストロー挿入バルブ（４０）から抜くと、ストロー挿入バルブ（４０）は弾性復元力によって再び閉じた状態に切り替わり、飲料収容空間（１１、１２）の飲料が外部にこぼされるのを防止する。
【００３６】
カップ蓋（３０）には、バルブ挿入バルブ（４０）を塞ぐ回転キャップ（５０）が追加で取り付けられる場合があり、回転キャップ（５０）は回転動作によりバルブ挿入バルブ（４０）を開閉するように構成される。図１は、回転キャップ（５０）が閉じた状態を、図２は回転キャップ（５０）が開いた状態をそれぞれ示しており、回転キャップ（５０）でストロー挿入バルブ（４０）から飲料がこぼれるのを二重防止することができる。
【００３７】
回転キャップ（５０）は、カップ蓋（３０）にヒンジ連結されるキャップ本体（５１）とキャップ本体（５１）から突出形成される挿入部（５２）を含む構成を有することができる。挿入部（５２）は、バルブ挿入バルブ（４０）の入口にはめ込み連結方式により挿入することができ、バルブ挿入バルブ（４０）から漏れた飲料が外部にこぼれるのを防ぐことができる。
【００３８】
カップ本体（１０）には、取手（７２）が備えられた取手部材（７０）が取り付けられる場合があり、幼児は取手（７２）を握って飲料を飲むことができる。
【００３９】
取手部材（７０）またはカップ本体（１０)とカップ蓋（３０）との間には、カップ蓋（３０）を連結する際に連結位置を案内するガイド部を備えることが可能であり、本実施形態においてはこうしたガイド部としてカップ蓋（３０）に突出形成されたラウンド部（３５）と、取手部材（７０）に腰入されるように形成された腰入部（７５）がそれぞれ雌雄の形で配された構成を示している。雌雄の形は、互いに反対となるよう形成することもでき、ガイド部の形態もやはりこうした雌雄の構造のほかにも多様な形態に変形を行うことができる。
【００４０】
以上のように説明した幼児用ストローカップの動作状態について説明すると、カップ本体（１０）の飲料収容空間（１１、１２）ごとにそれぞれ異なる種類の飲料を入れることができる。たとえば、第１収容空間（１１）には水を入れ、第２収容空間（１２）にはミルクを入れることができる。そのとき、各収容空間（１１、１２）に対応するストロー挿入バルブ（４０）は閉じた状態であり、各収容空間（１１、１２）に収容された飲料が外部にこぼれるのを防止する。
【００４１】
子どもが水を飲もうとする場合、第１収容空間（１１）に対応する位置の回転キャップ（５０）を開放し、その位置のストロー挿入バルブ（４０）にストロー（１）を挿入すると、ストロー挿入バルブ（４０）が開いた状態に切り替わり、水を飲むことができるようになる。水を飲み終わりストロー（１）をストロー挿入バルブ（４０）から抜くとバルブ挿入バルブ（４０）が再び閉じた状態に切り替わり、回転キャップ（５０）を回転させて閉塞させると流出の二重防止が可能になる。
【００４２】
一方、子どもがミルクを飲もうとする場合、第２収容空間（１２）に対応する位置の回転キャップ（５０）を開放してその位置のストロー挿入バルブ（４０）にストロー（１）を挿入し、ミルクを飲めるようにする。第１収容空間（１１）についての前記説明をもって閉塞動作の説明に代えることとする。
【００４３】
図４は、図２に図示されたカップ蓋の背面斜視図である。図４を参照すると、カップ蓋（３０）に飲料がこぼれるのを防止するためのガスケット（６０）が取り付けられる場合がある。ガスケット（６０）は、弾性素材(たとえば、シリコーンなど)を使うことでカップ蓋（３０）とカップ本体（１０）との間の隙間をシーリングしてカップ本体（１０）内部の飲料が外部にこぼれるのを防止し、カップ蓋（３０）と区画壁（２０）の間の隙間をシーリングして各収容空間（１１、１２）の飲料がもう一方の空間に流れ込むのを遮断する。
【００４４】
図４は、ガスケット（６０）がカップ蓋から取り外された状態を示しており、ガスケット（６０）はカップ蓋（３０）の背面に形成されたガスケット挿入溝（１６）に取り外しできるように挿入することができる。
【００４５】
ガスケット（６０）は、カップ本体（１０）の開口部(入口部)に対応する形態を有する外郭部（６１）または外郭リングと、外郭部（６１）の内側に区画壁（２０）に対応する形状を有するように形成される区画部（６２）を含む構成を有することができる。外郭部（６１）はカップ本体（１０）の端部と接触することでカップ蓋（３０）とカップ本体（１０）との隙間をシーリングする機能を有し、区画部（６２）は区画壁（２０）の端部と接触してカップ蓋（３０）と区画壁（２０）との間の隙間をシーリングする機能を有する。
【００４６】
ガスケット（６０）には取り外し型ノブ（６３）が形成されることがあり、本実施形態においては一組の取り外し型ノブ（６３）が外郭部（６１）から内側へと突出された構造が示されている。使用者は取り外し型ノブ（６３）を手で取って簡単にガスケット（６０）を取り付けたり外したりできる。
【００４７】
ラッキング部材（８０）は、カップ蓋（３０）に折り畳みできるよう連結することができ、蓋（３０）の外面に沿って複数備えることができる。ラッキング部材（８０）の底面にはカップ本体（１０）の外周に突出形成された突起（１５）に引っかかる引っかけフック（８５）が形成される。引っかけフック（８５）の引っかけ／引っかけ解除動作により、ラッキング部材（８０）が固定／固定解除されることになる。
【００４８】
図５は図２に図示されたストロー挿入バルブの斜視図であり、図６は図５に図示された ストロー挿入バルブの動作状態を示す断面図である。図５を参照すると、ストロー挿入バルブ（４０）はバルブ胴体部（４１）、隔膜（４４）および切開部（４５）を含む。
【００４９】
バルブ胴体部（４１）は、ストロー（１）を挿通することができる中空路（４９ａ、４９ｂ）を備えており、上部胴体（４２）および下部胴体（４３）を含む構成を有することができる。中空路（４９ａ、４９ｂ）は、上部胴体（４２）に形成された上部中空路（４９ａ）と下部胴体（４３）に形成された下部中空路（４９ｂ）を含むことができる。
【００５０】
上部胴体（４２）はカップ蓋（３０）の固定溝（３９）に固定され、下部胴体（４３）は上部胴体（４２）の下部に形成されストロー（１）を挿入するとストロー（１）の外周面に接触支持する。
【００５１】
下部胴体（４３）の内側面は、下方向に行くほど下部中空路（４９ｂ）の断面積が狭くなるよう形成され、これにより多様な直径のストロー（１）を適用することができる。下部胴体（４３）には下段から一定の高さまで縦の切開溝（４８）が形成され、これはストロー（１）が下部胴体（４３）を貫通する過程で下部胴体（４３）の側壁が横に膨らむようにする。下部胴体（４３）の内側面は、内側にふくらむ湾曲面の形態を有することができる。
【００５２】
バルブ胴体部（４１）の外周面には、カップ蓋（３０）の固定溝（３９）周囲に上下部位にひっかける上部フランジ（４６）と下部フランジ（４７）が形成され、これによりバルブ胴体部（４１）がカップ蓋（３０）から上下に外れるのを防止することができる。
【００５３】
隔膜（４４）は、中空路（４９ａ、４９ｂ）を防ぐためにバルブ胴体部（４１）の内部に形成され、本実施形態のように上部胴体（４２）と下部胴体（４３）との間に形成することができる。
【００５４】
切開部（４５）は隔膜（４４）を切開することで形成され、ストロー（１）の挿入により隔膜は変形して中空路（４９ａ、４９ｂ）は開放される。切開部（４５）は、複数の切開溝が隔膜（４４）の中心で交差するように形成される。 
【００５５】
以下、ストロー挿入バルブ（４０）の動作状態を説明すると、図６の（ａ）のようにストロー（１）が挿入されていない状態では隔膜（４４）が中空路（４９）を閉じているため、閉じた状態となる。
【００５６】
図６の（ｂ）のようにストロー（１）を挿入すると隔膜（４４）が下方向に倒れてストロー（１）が隔膜（４４）を貫通することになり、このときストロー（１）は下部胴体（４３）の内側面を加圧しながら下へと移動することになる。こうした過程で下部胴体（４３）の側壁がやや横に膨らむようになり、その弾性復元力によって下部胴体（４３）とストロー（１）は密接するようになる。
【００５７】
ストロー（１）が挿入されている状態でストロー（１）を抜く場合、内側へと膨らんだ湾曲面の形態を有する下部胴体（４３）の側壁は上方向に引っ張られることなくその位置を維持してストロー（１）との接触力が一定時間保てるため、ストロー（１）は簡単には上方向へと抜けないようになる。つまり、ストロー（１）は容易に挿入することができても、抜くのは容易ではない。
【００５８】
図７は、図２に図示されたカップ本体から取手本体を取り外した状態を示した斜視図である。図７の図示のように、取手部材（７０）はカップ本体（１０）に取り外しできるように取り付けられる場合がある。
【００５９】
取手部材（７０）は、カップ本体（１０）の外周が挿入固定される取り外し型リング（７１）と、取り外し型リング（７１）に備えられる取手（７２）を含むことができる。
【００６０】
取り外し型リング（７１）は、カップ本体（１０）にはめ込み連結方式で連結することができ、取り外し型リング（７１）とカップ本体（１０）の間にはこれらの結合を案内する案内部が備えられることがある。本実施形態の場合、案内の一例としてカップ本体（１０）の外周に突出形成される案内突起（１８）と、案内突起（１８）が挿入されるように取り外し型リング（７１）の内周に形成される案内溝（７８）が示されているが、案内部の構成は上記実施形態に限定されることなく幅広く変形実施することができる。
【００６１】
取手（７２）は、使用者が手で取ることができるように取り外し型リング（７１）の外周から延長形成されることができる。本実施形態の場合、２つの取手（７２）が取り外し型リング（７１）の両側に対称形成された構造を示している。
【００６２】
以上のような構造によれば、使用者はカップ本体（１０）に取手部材（７０）を取り付けた状態でカップ蓋（３０）を閉めて使うこともできるが、取手部材（７０）を取り付けずにカップ本体（１０）にカップ蓋（３０）を閉めて取手（７２）なしに使うこともできる。
【００６３】
前記では本考案の特定の実施形態を参照して説明したが、当該技術分野における通常の知識を有する者は、特許請求の範囲に記載された本考案の思想および領域から逸脱しない範囲内で本考案を多様に修正および変更しても、それはすべて本考案の範囲に含まれるものである。
【符号の説明】
【００６４】
１０  カップ本体
１１  第１収容空間
１２  第２収容空間
２０  区画壁
３０  カップ蓋
４０  ストロー挿入バルブ
４１  バルブ胴体部
４４  隔膜
４５  切開部
５０  回転キャップ
６０  ガスケット
６１  外郭部
６２  区画部
６３  取り外し型ノブ
７０  取手部材
７１  取り外し型リング
７２  取手
８０  ラッキング部材
【図１】
0003219375.tif 000003
【図２】
0003219375.tif 000004
【図３】
0003219375.tif 000005
【図４】
0003219375.tif 000006
【図５】
0003219375.tif 000007
【図６】
0003219375.tif 000008
【図７】
0003219375.tif 000009